(57)【特許請求の範囲】
【請求項１】
四方を取り囲む側壁と、その側壁に設置される通水部材と、その通水部材上に載置される濾材とを有した濾床において、
上記側壁の対向する少なくとも一対の壁面が、水平方向に突出した受け座を各々有し、
その各々の受け座から上方に隔てた壁面に、水平方向に突出した突起部を設け、
上記受け座と突起部との間に設置する上記通水部材が、通水部材を水平方向に移動させることにより、受け座と突起部との間から着脱可能となるように切欠部を有し、
前記通水部材が、複数の通水部材をスライド可能に接続したものである濾床。
【請求項２】
通水部材が、取っ手を備えている請求項１に記載の濾床。
【請求項３】
通水部材が、上下方向に複数設けられ、その複数の通水部材の間に濾材を充填する請求項１又は２に記載の濾床。
【請求項４】
切欠部と突起部とを位置合せすることで、通水板を受け座に載せ、上記通水部材を上記受け座と突起部との間に設置する際に、上記通水部材が上記突起部を通過した後、上記通水部材が上記受け座に当接することで上記通水部材の高さ位置が決定される請求項１乃至３のいずれかに記載の濾床。
【請求項５】
側壁が、浄化槽の側壁又は浄化槽内に設けられその浄化槽内を複数の部屋に区画する仕切壁である請求項１乃至４のいずれかに記載の濾床。
【請求項６】
請求項１乃至５のいずれかに記載の濾床を内蔵した浄化槽。
【発明の詳細な説明】
【０００１】
【発明の属する技術分野】
本発明は、濾床及びその濾床を内蔵した浄化槽に関する。
【０００２】
【従来の技術】
濾床は、側壁と、水を通過させる通水部材と、その通水部材に載置される濾材とを有しており、上記濾材により固形物の物理的な除去を行うと共に、浄化槽に内蔵させた際には、微生物を濾材に付着させて嫌気処理又は好気処理を行わせている。
【０００３】
図９は、浄化槽であり、（ａ）は略式平面透視図を示し、（ｂ）は（ａ）のＡ−Ａ断面図を示している。図９を用いて従来の濾床について説明する。浄化槽１は、その内部を仕切板４、５，６，７により区画され、流入口２４に近い方から、沈殿分離槽８、嫌気濾床槽２、好気濾床槽３、処理水槽９、消毒槽１０が順次設けられている。上記嫌気濾床槽２には、通水板１１、１２が設けられ、その通水板１１、１２の間には、濾材（図示省略）を充填してある。また、上記好気濾床槽３には、通水板１３、１４、１５が設けられ、その通水板１４、１５の間及び通水板１３、１５の間にも濾材を充填してある。
【０００４】
水の流れについて説明すると、流入口２４から沈殿分離槽８に流入した汚水は、固形分が沈殿することにより固液分離され、汚水の液体部分が嫌気濾床槽２に流入する。嫌気濾床槽２に流入した汚水は、濾材に付着した嫌気性の微生物により嫌気処理が行われると共に、濾材により夾雑物を取り除かれ、好気濾床槽３に流入する。好気濾床槽３に流入した汚水は、濾材に付着した好気性の微生物により好気処理が行われると共に、濾材により夾雑物を取り除かれ、処理水槽９に流入する。処理水槽９に流入した汚水は、夾雑物を沈殿させた後に消毒槽１０に流入して滅菌され、流出口２５から処理水として放流される。
【０００５】
図１０は、図９に示す浄化槽１の拡大詳細図である。濾床は、嫌気濾床槽２に設けたものを例として説明すると、通水板１１、１２により区画した内部に濾材を充填させたものである。通水板１１、１２の設置方法について説明すると、嫌気濾床槽２の底部に略鞍形の支持体１６を設置し、その支持体１６の上に通水板１２を載置すると共に、通水板１２の四辺端部と仕切板４、５及び浄化槽の側壁（図示省略）とを接着剤及びボルトにより固定する。次に、通水板１２の上に濾材を載置し、その濾材の上に固定具１７を設け、その固定具１７に通水板１１をボルトにより固定する。
【０００６】
好気濾床槽３の濾床の設置は、好気濾床槽３の底部に略鞍形の支持体１８を設置し、その支持体１８の上に通水板１４を載置すると共に、通水板１４の四辺端部と仕切板５、６及び浄化槽の側壁とを接着剤及びボルトにより固定する。次に、通水板１４の上にパイプ状の支持体１９及び濾材を載置し、上記支持体１９の上に通水板１５を設置して、通水板１５の四辺端部を通水板１４と同様に固定する。更に、通水板１５の上にパイプ状の支持体２０及び濾材を載置し、上記支持体２０の上に通水板１３を載置して、通水板１３の四辺端部を通水板１４と同様に固定すると共に、固定具２１に対してもボルトにより固定する。尚、図中に記載される散気部材２２は、好気処理を行うための空気を供給するために用いられ、散気部材２３は、濾材が閉塞することを阻止するために行う逆洗に使用する空気を供給する。
【０００７】
【発明が解決しようとする課題】
しかしながら、上記濾床は、通水板を設置する際に、多数の支持体及び固定具といった部材を必要とする課題がある。
【０００８】
また、浄化槽は、設置後長期間にわたり使用されることから、濾床の定期的な点検時に濾材の補充又は交換を要することがあり、濾材の補充又は交換を行うためにボルト及び接着剤を取り除いて、固定具、支持体及び通水板を取り外すことは煩雑な作業となっていた。
【０００９】
本発明は、上記のような課題に鑑みてなされたものであり、通水板を設置する際に、支持体及び固定具といった部材を必要とせず、また、濾材の補充又は交換を容易に行える濾床及びその濾床を内蔵した浄化槽を提供することを目的とする。
【００１０】
【課題を解決するための手段】
本発明は、次のものに関する。
（１）  四方を取り囲む側壁と、その側壁に設置される通水部材と、その通水部材上に載置される濾材とを有した濾床において、上記側壁の対向する少なくとも一対の壁面が、水平方向に突出した受け座を各々有し、その各々の受け座から上方に隔てた壁面に、水平方向に突出した突起部を設け、上記受け座と突起部との間に設置する上記通水部材が、通水部材を水平方向に移動させることにより、受け座と突起部との間から着脱可能となるように切欠部を有し、前記通水部材が、複数の通水部材をスライド可能に接続したものである濾床。
（２）  通水部材が、取っ手を備えている上記（１）に記載の濾床。
（３）  通水部材が、上下方向に複数設けられ、その複数の通水部材の間に濾材を充填する上記（１）又は（２）に記載の濾床。
（４）  切欠部と突起部とを位置合せすることで、通水板を受け座に載せ、上記通水部材を上記受け座と突起部との間に設置する際に、上記通水部材が上記突起部を通過した後、上記通水部材が上記受け座に当接することで上記通水部材の高さ位置が決定される上記（１）乃至（３）のいずれかに記載の濾床。
（５）  側壁が、浄化槽の側壁又は浄化槽内に設けられその浄化槽内を複数の部屋に区画する仕切壁である上記（１）乃至（４）のいずれかに記載の濾床。
（６）  上記（１）乃至（５）のいずれかに記載の濾床を内蔵した浄化槽。
【００１１】
【発明の実施の形態】
本発明に用いる通水部材は、処理すべき水が通水可能であり、且つ、後述する濾材が通過できないものであれば、特に限定されるものではない。具体的には、ポリ塩化ビニル、ポリエチレン、ポリプロピレン、ジシクロペンタジエン等の合成樹脂製の板状成形体、又は、防錆処理を施した鉄、アルミニウム、ステンレス等の金属製の板状成形体に、水を通水させる複数の孔を設けたものを好適に用いることができる。また、通水部材は、後述する受け座と突起部との間に着脱可能に設置される。
【００１２】
本発明に用いる濾材は、濾過機能を有する濾材であれば特に限定されるものではないが、微生物を多く保持させることができることから、網様円筒筒、骨格様球状、へちま状、小円筒状、波板状、チューブ状、繊維絡み状等の合成樹脂製の成形体、独立気泡体又は連通気泡体を有した合成樹脂製の成形体、アンスラサイト（無煙炭）、珪砂、セラミック等を好適に用いることができる。また、取り扱い性、コスト及び輸送性等から水に浮く浮上性濾材を用いることが特に好ましい。
【００１３】
本発明に用いる受け座は、四方を取り囲む側壁の壁面に設けられる。受け座を設ける壁面は、対向する少なくとも一対の壁面であり、対向する二対の壁面全てに設けてもよい。受け座は、通水部材をその上面に載せて支えることが可能であれば、特に限定されるものでなく、具体的には、壁面に水平方向に突出させた受け座を一体成形させたもの、壁面にボルト又は接着剤により固定される箱形又は断面Ｌ形の成形体等を用いることができる。
【００１４】
本発明に用いる突起部は、受け座から所定間隔だけ上方の、受け座を設けた壁面に設ける。突起部と受け座との鉛直方向の間隔は、用いる通水部材の厚みにより任意に変化させる。突起部は、通水部材を受け座と突起部との間に係止させることができるものであれば、特に限定されるものではなく、具体的には、壁面に水平方向に突出させた突起部を一体成形させたもの、壁面にボルト又は接着剤により固定される箱形又は断面Ｌ形の成形体等を用いることができる。
【００１５】
通水部材に設ける切欠部は、受け座と突起部との間に通水部材を設置する際に、通水部材を着脱可能なように設けるのであれば、特に限定されるものではなく、具体的には、平面視にて突起部よりも僅かに大きな切欠部を設けることが好ましい。上記切欠部は、通水部材を側壁中で移動させる際に、突起部に当たり移動不能となるのを阻止するために設けられるものであり、切欠部と突起部とを位置合わせすることにより、通水部材が突起部を通過可能となる。突起部を通過した後の通水部材は、水平方向に移動させ、切欠部と突起部との位置をずらして設置を終了する。
【００１６】
本発明に用いる通水部材は、複数の通水部材をスライド可能に接続させたものでもよい。このような通水部材を使用する際には、通水部材の着脱時に通水部材を水平移動させる代わりにスライドさせて、通水部材の切欠部と突起部との位置合わせを行うようにする。また、通水部材には、取っ手を設けることが好ましいく、取っ手を設けることにより容易に通水部材の着脱が行える。
【００１７】
本発明の通水部材は、側壁に対して一段のみ設けるものに限られず、二段にしても、それ以上の多段にしてもよい。多段の通水部材を設けた場合には、濾材を通水部材間に充填することで、濾材の流出を防ぐことができる。
【００１８】
本発明の受け座と突起部との関係は、その受け座と突起部とを設けた壁面を平面視した際に、受け座の一部又は全部が突起部に妨げられずに目視可能であることが好ましい。このようにすれば、通水部材を受け座と突起部との間に設置する際に、通水部材が突起部を通過した後、通水部材が受け座に当接することで通水部材の高さ位置が決定され、濾床の組み立てが容易になる。
【００１９】
本発明の濾床に用いられる側壁は、特に限定されるものではなく、濾床を浄化槽に内蔵させるのであれば、浄化槽の側壁又は仕切壁を用いてもよい。また、本発明の濾床は、水処理を行うものであれば使用することが可能であり、具体的には、浄化槽に内蔵させて、固液分離、夾雑物の除去及び嫌気処理、夾雑物の除去及び好気処理等を行う濾床として好適に用いることができる。
【００２０】
【実施例】
以下図面を用いて、本発明の実施例を説明する。図１は、本発明の濾床を示す１実施例であり、一部透視斜視図としている。図１に示す濾床は、四方を取り囲む側壁２８、２９に、通水部材としてポリプロピレン製の格子状通水板２７を３枚設置したものであり、その格子状通水板２７間には、上側及び下側共に、ポリエチレン製の連通気泡体（図示省略）をサイコロ状に切断した濾材を充填してある。尚、本実施例では、格子状通水板２７の厚みを１７ｍｍとし、格子の大きさを縦６ｍｍ、横１７ｍｍとしている。濾材の大きさは、サイコロの一辺を約１０ｍｍとしている。
【００２１】
受け座３１は、側壁２８、２９に一体成形で設けてあり、側壁２８、２９に水平方向に帯状に突出させた上面にて、格子状通水板２７を受け止めている。突起部３２は、受け座３１から上方に２０ｍｍ隔てた箇所に、側壁２８と一体成形で設けている。
【００２２】
図２は、図１に示す最上部に設けた格子状通水板２７の平面図であり、（ａ）は格子状通水板２７の設置時を示し、（ｂ）は格子状通水板２７の着脱時を示している。格子状通水板２７は、その長辺側に平面視にて突起部３２よりも僅かに大きい切欠部３３を有しており、図２（ｂ）に示すように、切欠部３３と突起部３２とを位置合わせすることで、格子状通水板２７を受け座３１に載せることができ、その後図２（ａ）に示すように、格子状通水板２７を左側に水平移動させて設置することができる。
【００２３】
図３は、図２に示す格子状通水板の断面図であり、（ａ）はＢ−Ｂ断面図、（ｂ）はＣ―Ｃ断面図である。格子状通水板２７は、図３（ａ）（ｂ）に示すように、受け座３１と突起部３２との間に設置され、その端部下側四辺を受け座３１により支えられ、その端部上側二辺を突起部３２により係止される。
【００２４】
図４は、浄化槽の一部分解斜視図である。本実施例では、濾床を浄化槽に内蔵させたものを説明する。本実施例では、四方を取り囲む側壁として上槽３７及び下槽３８の側壁３４と、浄化槽内を区画する仕切板５、６を用いている。受け座３１は、上槽３７には１対、下槽３８には２対、仕切板５、６には３対設けている。突起部３２は、仕切板５、６に設けた受け座３１の上方に設けられており、格子状通水板２７を係止している。
【００２５】
図５は、図４に示す最上部に設けた格子状通水板２７の平面図であり、（ａ）は格子状通水板２７の設置時を示し、（ｂ）は格子状通水板２７の着脱時を示している。格子状通水板２７は、その長辺側に平面視にて突起部３２よりも僅かに大きい切欠部３３を有しており、図５（ｂ）に示すように、切欠部３３と突起部３２とを位置合わせすることで、格子状通水板２７を受け座３１に載せることができ、その後図５（ａ）に示すように、格子状通水板２７を左側に水平移動させて設置することができる。また、図５（ａ）（ｂ）に示すように、格子状通水板２７に空気管３５、３５を通す場合は、空気管の部分にも切欠部３３を設けることで、格子状通水板２７を設置することができる。
【００２６】
図６は、図５に示す格子状通水板２７の断面図であり、（ａ）はＤ−Ｄ断面図、（ｂ）はＥ―Ｅ断面図である。格子状通水板２７は、図６（ａ）（ｂ）に示すように、受け座３１と突起部３２との間に設置され、その端部下側四辺を受け座３１により支えられ、その端部上側二辺を突起部３２により係止される。また、本実施例の受け座３１は、図６（ｂ）に示すように、断面Ｌ字形の成形体をボルト３６により固定している。
【００２７】
図７は、図１を用いて説明した濾床の格子状通水板２７を、左右にスライド可能なスライド式格子状通水板４０とした、スライド式格子状通水板４０の平面図であり、（ａ）はスライド式格子状通水板４０の設置時を示し、（ｂ）はスライド式格子状通水板４０の着脱時を示している。スライド式格子状通水板４０は、２枚の格子状通水板４１、４２を有し、図７に示すＨ−Ｈ断面図である図８（ａ）及び図７に示すＪ−Ｊ断面図である図８（ｂ）を用いて詳細に述べると、格子状通水板４１に嵌合孔４４を設け、格子状通水板４２に嵌合突起を設け、スライド式格子状通水板４０を着脱する場合には、嵌合突起４３を嵌合孔４４から取り外し、図７に示すようにスライド式格子状通水板４０の切欠部と、側壁２８に設けた突起部３２とを位置合わせする。そして、スライド式格子状通水板４０を設置する際には、嵌合突起４３を嵌合孔４４に嵌合させて、図７に示すようにスライド式格子状通水板４０の切欠部と、側壁２８に設けた突起部３２との位置をずらす。
【００２８】
【発明の効果】
本発明は、切欠部を設けたことにより、通水部材を容易に着脱することが可能となり、通水部材に取っ手を設けることで着脱は更に短時間で行えるようになる。また、通水部材を上下方向に複数設けるならば、濾材の流出を阻止することが可能となる。
【００２９】
通水部材を支える受け座は、壁面を平面視した際に、受け座の一部又は全部が突起部に妨げられずに目視可能なように設けることで、通水部材の高さ方向の位置決めを容易に行うことができ、濾床の側壁として浄化槽の側壁又は仕切板を使用することで、濾床を成形する専用の部材点数を低減させることができる。
【００３０】
本発明の濾床を内蔵させた浄化槽は、通水部材の着脱を容易に行うことが可能であり、保守点検時間を短縮することができる。
【図面の簡単な説明】
【図１】本発明の実施例を示す濾床の一部透視斜視図。
【図２】図１に示す格子状通水板の平面図であり、（ａ）は格子状通水板の設置時を示し、（ｂ）は格子状通水板の着脱時を示す。
【図３】図２に示す格子状通水板の断面図であり、（ａ）はＢ−Ｂ断面図、（ｂ）はＣ―Ｃ断面図である。
【図４】本発明の他の実施例を示す浄化槽の一部分解斜視図。
【図５】図４に示す格子状通水板の平面図であり、（ａ）は格子状通水板の設置時を示し、（ｂ）は格子状通水板の着脱時を示す。
【図６】図５に示す格子状通水板の断面図であり、（ａ）はＤ−Ｄ断面図、（ｂ）はＥ―Ｅ断面図である。
【図７】スライド式格子状通水板の平面図であり、（ａ）はスライド式格子状通水板４０の設置時を示し、（ｂ）はスライド式格子状通水板４０の着脱時を示している。
【図８】図７に示すスライド式格子状通水板の断面図であり、（ａ）はＨ−Ｈ断面図、（ｂ）は、Ｊ−Ｊ断面図である。
【図９】従来例を示す濾床を有する浄化槽であり、（ａ）は略式平面透視図を示し、（ｂ）は（ａ）のＡ−Ａ断面図を示す。
【図１０】図９に示す浄化槽の拡大詳細図。
【符号の説明】
１．浄化槽                              ２．嫌気濾床槽
３．好気濾床槽                          ４．仕切壁
５．仕切壁                              ６．仕切壁
７．仕切壁                              ８．沈殿分離槽
９．処理水槽                            １０．消毒槽
１１．通水板                            １２．通水板
１３．通水板                            １４．通水板
１５．通水板                            １６．支持体
１７．固定具                            １８．支持体
１９．支持体                            ２０．支持体
２１．固定具                            ２２．散気部材
２３．散気部材                          ２４．流入口
２５．流出口                            ２６．濾床槽
２７．格子状通水板                      ２８．側壁
２９．側壁                              ３０．底板
３１．受け座                            ３２．突起部
３３．切欠部                            ３４．側壁
３５．空気管                            ３６．ボルト
３７．上槽                              ３８．下槽
３９．マンホール                        ４０．スライド式格子状通水板
４１．格子状通水板                      ４２．格子状通水板
４３．嵌合突起                          ４４．嵌合孔
【図１】
0004302262.tif 000002
【図２】
0004302262.tif 000003
【図３】
0004302262.tif 000004
【図４】
0004302262.tif 000005
【図５】
0004302262.tif 000006
【図６】
0004302262.tif 000007
【図７】
0004302262.tif 000008
【図８】
0004302262.tif 000009
【図９】
0004302262.tif 000010
【図１０】
0004302262.tif 000011